(57)【要約】      （修正有）【課題】部品点数の増大を抑制しつつ、環境光の色特性を測定することができる画像読取装置を提供する。【解決手段】原稿をスキャンするための画像読取装置１００は、複数の色の光を順に原稿へ出射する光源１２２と、互いに異なる波長の光を選択的に透過する複数のフィルタ領域を有する光学フィルタ１１０と、（i）画像読取装置が設置された空間を照らす環境光を光学フィルタを介して受光することにより、複数のフィルタ領域に対応する複数の第１信号を出力し、（ii）原稿に対して相対的に移動しながら、原稿からの反射光を光学フィルタを介さずに受光することにより、複数の色に対応する複数の第２信号を出力するラインイメージセンサ１２４と、複数の第１信号に基づいて環境光の色特性を測定する測定部と、複数の第２信号に基づく画像データを、環境光の色特性に基づいて補正する画像処理部と、を備える。【選択図】図２Ａ
2015122708.tif 000002
【特許請求の範囲】
【請求項１】
原稿をスキャンするための画像読取装置であって、
複数の色の光を順に前記原稿へ出射する光源と、
互いに異なる波長の光を選択的に透過する複数のフィルタ領域を有する光学フィルタと、
（i）前記画像読取装置が設置された空間を照らす環境光を前記光学フィルタを介して受光することにより、前記複数のフィルタ領域に対応する複数の第１信号を出力し、（ii）前記原稿に対して相対的に移動しながら、前記光源から順に出射された前記複数の色の光の前記原稿からの反射光を前記光学フィルタを介さずに受光することにより、前記複数の色に対応する複数の第２信号を出力するラインイメージセンサと、
前記複数の第１信号に基づいて前記環境光の色特性を測定する測定部と、
前記複数の第２信号に基づく前記原稿の画像データを生成し、前記環境光の色特性に基づいて前記画像データを補正する画像処理部とを備える
画像読取装置。
【請求項２】
前記複数のフィルタ領域は、前記ラインイメージセンサのライン方向に延びる長尺状の領域であり、前記ラインイメージセンサの移動方向に並んで配置されている
請求項１に記載の画像読取装置。
【請求項３】
前記複数のフィルタ領域は、前記ラインイメージセンサのライン方向に並んで配置されている
請求項１に記載の画像読取装置。
【請求項４】
前記複数のフィルタ領域は、赤に対応する波長の光を選択的に透過する赤フィルタ領域と、緑に対応する波長の光を選択的に透過する緑フィルタ領域と、青に対応する波長の光を選択的に透過する青フィルタ領域とを含む
請求項１〜３のいずれか１項に記載の画像読取装置。
【請求項５】
前記複数のフィルタ領域は、前記環境光のスペクトル分布を得るための複数の狭帯域のフィルタ領域であり、
前記測定部は、前記複数の第１信号に基づいて前記環境光のスペクトル分布を測定する
請求項１〜３のいずれか１項に記載の画像読取装置。
【請求項６】
前記画像読取装置は、さらに、
筐体と、
前記原稿が載置される、前記筐体の上面に固定された透明な原稿台と、
前記原稿台の上面を開閉自在に塞ぐカバー部材とを備え、
前記光学フィルタは、前記筐体の上面の、前記原稿が載置される領域と重ならない位置に固定されている
請求項１〜５のいずれか１項に記載の画像読取装置。
【請求項７】
前記光学フィルタは、前記筐体の上面の、前記ラインイメージセンサの待機位置に対応する位置に固定されている
請求項６に記載の画像読取装置。
【請求項８】
前記カバー部材には、前記カバー部材が閉じられた状態で前記光学フィルタに前記環境光を導く光路が形成されている
請求項７に記載の画像読取装置。
【請求項９】
前記画像読取装置は、さらに、
補正された前記画像データに従って前記原稿の画像を印刷する印刷部を備える
請求項１〜８のいずれか１項に記載の画像読取装置。
【発明の詳細な説明】
【技術分野】
【０００１】
本発明は、画像、文書あるいは物体（以下、「原稿」という）を光学的にスキャンすることにより、原稿のカラーデジタル画像（以下、単に「画像」という場合もある）を生成する画像読取装置に関する。
【背景技術】
【０００２】
画像読取装置では、例えばＣＣＤ（Ｃｈａｒｇｅ  Ｃｏｕｐｌｅｄ  Ｄｅｖｉｃｅ）またはＣＩＳ（Ｃｏｎｔａｃｔ  Ｉｍａｇｅ  Ｓｅｎｓｏｒ）がイメージセンサとして用いられる。ＣＩＳが用いられる画像読取装置（以下、「ＣＩＳスキャナ」という）は、一般的に、３色（赤緑青）の発光ダイオードと、複数の受光素子が並んで配置されたラインイメージセンサとを備える。ＣＩＳスキャナは、３色の発光ダイオード（ＬＥＤ：Ｌｉｇｈｔ  Ｅｍｉｔｔｉｎｇ  Ｄｉｏｄｅ）によって赤、緑および青の光が順に繰り返し原稿に出射されている間に、ラインイメージセンサ内の複数の受光素子が並ぶ方向と略直交するスキャン方向にラインイメージセンサを移動させる。その結果、原稿が光学的にスキャンされ、原稿の画像が生成される。
【０００３】
このようなＣＩＳスキャナによるスキャン結果（画像）あるいは画像の印刷結果（印刷画像）は、ＣＩＳスキャナが設置された空間を照らす光（以下、「環境光（ａｍｂｉｅｎｔ  ｌｉｇｈｔ）」という）によって、劣化する場合やユーザに違和感を生じさせる場合がある。そこで、環境光による画像の劣化あるいは違和感を減少させるために、測光器によって測定された環境光の色特性に応じて画像補正を行うことが提案されている（例えば、特許文献１を参照）。
【先行技術文献】
【特許文献】
【０００４】
【特許文献１】特開平０７−１２３２８２号公報
【発明の概要】
【発明が解決しようとする課題】
【０００５】
しかしながら、特許文献１の画像読取装置には、環境光の色特性を測定するための測光器が画像読取装置に付加される必要があり、画像読取装置および測光器の部品点数が増大し、製造コストが増加するという課題がある。
【０００６】
そこで、本発明は、部品点数の増大を抑制しつつ、環境光の色特性を測定することができる画像読取装置を提供する。
【課題を解決するための手段】
【０００７】
本発明の一態様に係る画像読取装置は、原稿をスキャンするための画像読取装置であって、複数の色の光を順に前記原稿へ出射する光源と、互いに異なる波長の光を選択的に透過する複数のフィルタ領域を有する光学フィルタと、（i）前記画像読取装置が設置された空間を照らす環境光を前記光学フィルタを介して受光することにより、前記複数のフィルタ領域に対応する複数の第１信号を出力し、（ii）前記原稿に対して相対的に移動しながら、前記光源から順に出射された前記複数の色の光の前記原稿からの反射光を前記光学フィルタを介さずに受光することにより、前記複数の色に対応する複数の第２信号を出力するラインイメージセンサと、前記複数の第１信号に基づいて前記環境光の色特性を測定する測定部と、前記複数の第２信号に基づく前記原稿の画像データを生成し、前記環境光の色特性に基づいて前記画像データを補正する画像処理部とを備える。
【０００８】
この構成によれば、ラインイメージセンサから出力された、複数のフィルタ領域に対応する複数の第１信号に基づいて、環境光の色特性が測定される。つまり、画像読取装置は、原稿の画像データの生成と、環境光の色特性の測定とでラインイメージセンサを共用することができる。したがって、画像読取装置は、部品点数の増大を抑制しつつ、環境光の色特性を測定することができる。
【０００９】
例えば、前記複数のフィルタ領域は、前記ラインイメージセンサのライン方向に延びる長尺状の領域であり、前記ラインイメージセンサの移動方向に並んで配置されてもよい。
【００１０】
この構成によれば、光学フィルタに含まれる複数のフィルタ領域は、ラインイメージセンサのライン方向に延びる長尺状の領域であり、ラインイメージセンサの移動方向に並んで配置されている。したがって、画像読取装置は、ラインイメージセンサを複数のフィルタ領域が並ぶ方向（移動方向）に移動させることにより、ラインイメージセンサ内でライン方向に並ぶ複数の受光素子の各々で複数のフィルタ領域をそれぞれ透過した光を受光することができる。このような複数の受光素子から出力される複数の第２信号に基づいて環境光の色特性が測定されることにより、画像読取装置は、ライン方向における複数の受光素子の感度のばらつきによる測定精度の低下を抑制することができる。
【００１１】
例えば、前記複数のフィルタ領域は、前記ラインイメージセンサのライン方向に並んで配置されてもよい。
【００１２】
この構成によれば、複数のフィルタ領域は、ラインイメージセンサのライン方向に並んで配置される。したがって、画像読取装置は、ラインイメージセンサを移動させなくても、複数のフィルタ領域を介して環境光を受光することができる。つまり、画像読取装置は、環境光の色特性の測定を高速に行うことが可能になる。
【００１３】
例えば、前記複数のフィルタ領域は、赤に対応する波長の光を選択的に透過する赤フィルタ領域と、緑に対応する波長の光を選択的に透過する緑フィルタ領域と、青に対応する波長の光を選択的に透過する青フィルタ領域とを含んでもよい。
【００１４】
この構成によれば、光学フィルタに含まれる複数のフィルタ領域として、赤緑青のフィルタ領域を用いることができる。したがって、簡易な構成で環境光の色特性（例えば色温度）を測定することが可能となる。
【００１５】
例えば、前記複数のフィルタ領域は、前記環境光のスペクトル分布を得るための複数の狭帯域のフィルタ領域であり、前記測定部は、前記複数の第１信号に基づいて前記環境光のスペクトル分布を測定してもよい。
【００１６】
この構成によれば、複数の狭帯域のフィルタ領域を有する光学フィルタを用いることにより、環境光のスペクトル分布を測定することが可能となる。
【００１７】
例えば、前記画像読取装置は、さらに、筐体と、前記原稿が載置される、前記筐体の上面に固定された透明な原稿台と、前記原稿台の上面を開閉自在に塞ぐカバー部材とを備え、前記光学フィルタは、前記筐体の上面の、前記原稿が載置される領域と重ならない位置に固定されてもよい。
【００１８】
この構成によれば、光学フィルタは、原稿が載置される領域と重ならない位置に固定される。したがって、画像読取装置は、光学フィルタが画像読取装置に固定された状態で、原稿をスキャンすることができる。
【００１９】
例えば、前記光学フィルタは、前記筐体の上面の、前記ラインイメージセンサの待機位置に対応する位置に固定されてもよい。
【００２０】
この構成によれば、光学フィルタは、筐体の上面の、ラインイメージセンサの待機位置に対応する位置に固定される。したがって、画像読取装置は、ラインイメージセンサを待機位置から動かさなくても、環境光の色特性を測定することができる。つまり、画像読取装置は、環境光の色特性の測定を高速に行うことが可能になる。
【００２１】
例えば、前記カバー部材には、前記カバー部材が閉じられた状態で前記光学フィルタに前記環境光を導く光路が形成されてもよい。
【００２２】
この構成によれば、カバー部材には、カバー部材が閉じられた状態で光学フィルタに環境光を導く光路が形成される。したがって、カバー部材を閉じた状態で環境光の色特性の測定が可能となる。つまり、環境光の色特性の測定条件が緩和され、測定の自由度を高めることが可能となる。
【００２３】
例えば、前記画像読取装置は、さらに、補正された前記画像データに従って前記原稿の画像を印刷する印刷部を備えてもよい。
【００２４】
この構成によれば、環境光の色特性に基づいて補正された画像データに従って原稿の画像を印刷することができる。したがって、画像読取装置が設置された場所において、印刷された画像に対するユーザの違和感を抑制することができる。例えば、環境光の光源が昼白色蛍光灯である場合に、画像読取装置は、印刷された原稿の画像が青白く見えることを抑制することができる。つまり、画像読取装置は、環境光の色特性に適した画像を印刷することができる。
【発明の効果】
【００２５】
本発明の一態様に係る画像読取装置によれば、部品点数の増大を抑制しつつ、環境光の色特性を測定することができる。
【図面の簡単な説明】
【００２６】
【図１】実施の形態１に係る画像読取装置の外観を示す斜視図である。
【図２Ａ】実施の形態１に係る画像読取装置の測光モードにおける内部構造を示す断面図である。
【図２Ｂ】実施の形態１に係る画像読取装置のスキャンモードにおける内部構造を示す断面図である。
【図３】実施の形態１に係る画像読取装置の平面図である。
【図４】実施の形態１に係る光学フィルタの平面図である。
【図５】実施の形態１に係る画像読取装置の機能構成を示すブロック図である。
【図６】実施の形態１に係る画像読取装置１００の処理動作を示すフローチャートである。
【図７】実施の形態２に係る光学フィルタの平面図である。
【図８】実施の形態３に係る光学フィルタの平面図である。
【図９Ａ】実施の形態３に係る画像読取装置によって測定される環境光の色特性の一例を示す図である。
【図９Ｂ】実施の形態３に係る画像読取装置によって測定される環境光の色特性の一例を示す図である。
【図９Ｃ】実施の形態３に係る画像読取装置によって測定される環境光の色特性の一例を示す図である。
【図１０】実施の形態４に係る画像読取装置の内部構造を示す断面図である。
【発明を実施するための形態】
【００２７】
以下、実施の形態について、図面を用いて詳細に説明する。なお、以下で説明する実施の形態は、いずれも本発明の好ましい一具体例を示すものである。以下の実施の形態で示される数値、形状、材料、構成要素、構成要素の配置位置および接続形態、ステップ、ステップの順序などは、一例であり、本発明を限定する主旨ではない。以下の実施の形態における構成要素のうち、独立請求項に記載されていない構成要素については、本発明の課題を達成するのに必ずしも必要ではないが、より好ましい形態を構成するものとして説明される。
【００２８】
（実施の形態１）
まず、実施の形態１に係る画像読取装置について、図面を参照しながら具体的に説明する。
【００２９】
実施の形態１に係る画像読取装置は、１つの共通のラインイメージセンサを用いて、原稿のスキャンと環境光の色特性の測定とを実現する。つまり、原稿のスキャンと環境光の色特性の測定とでラインイメージセンサが共用される。具体的には、ラインイメージセンサは、測光モード（第１モード）において光学フィルタを介して環境光を受光し、スキャンモード（第２モード）において光学フィルタを介さずに原稿からの反射光を受光する。
【００３０】
［ハードウェア構成］
図１は、実施の形態１に係る画像読取装置の外観を示す斜視図である。図２Ａは、実施の形態１に係る画像読取装置の測光モードにおける内部構造を示す断面図である。図２Ｂは、実施の形態１に係る画像読取装置のスキャンモードにおける内部構造を示す断面図である。図３は、実施の形態１に係る画像読取装置の平面図である。具体的には、図３では、スキャンモードにおける画像読取装置が示され、カバー部材の記載が省略されている。図４は、実施の形態１に係る光学フィルタの平面図である。
【００３１】
画像読取装置１００は、原稿（例えば、画像、文書および物体など）をスキャンすることにより原稿の画像を生成する。具体的には、画像読取装置１００は、例えばＣＩＳ方式のフラットベッド型のイメージスキャナである。
【００３２】
本実施の形態では、画像読取装置１００は、プリンタでもあり、コピー機（Ｐｈｏｔｏｃｏｐｉｅｒ）でもある。つまり、本実施の形態に係る画像読取装置１００は、複合機（ＭＦＰ：Ｍｕｌｔｉ  Ｆｕｎｃｔｉｏｎ  Ｐｒｉｎｔｅｒ）である。
【００３３】
図１〜図３に示すように、画像読取装置１００は、筐体１０１と、プラテンガラス１０２と、カバー部材１０３と、操作部１０４と、光学フィルタ１１０と、スキャン部１２０と、制御部１３０と、印刷部１４０とを備える。
【００３４】
プラテンガラス１０２は、筐体１０１の上面に固定された透明な原稿台の一例である。具体的には、プラテンガラス１０２は、筐体１０１の上面に形成された開口を塞ぐガラス板である。このプラテンガラス１０２の上面に原稿が載置される。そして、プラテンガラス１０２の上面に載置された原稿は、筐体１０１内のスキャン部１２０によってスキャンされる。
【００３５】
カバー部材１０３は、少なくともプラテンガラス１０２の上面を開閉自在に塞ぐ部材である。本実施の形態では、カバー部材１０３が開かれた状態では、プラテンガラス１０２および光学フィルタ１１０の上面が開放される（図２Ａ）。一方、カバー部材１０３が閉じられた状態では、プラテンガラス１０２および光学フィルタ１１０の上面が塞がれ、筐体１０１内への環境光の入射が抑制される（図２Ｂ）。
【００３６】
操作部１０４は、例えばタッチパネルまたはプッシュボタン等で構成されている。操作部１０４は、ユーザによる操作（例えば、原稿のスキャンあるいはコピーを開始する指示、環境光の色特性を測定する指示など）を受け付ける。
【００３７】
光学フィルタ１１０は、所定の波長（帯域）の光を選択的に透過する。つまり、光学フィルタ１１０は、他の波長（帯域）の光をブロックする。
【００３８】
光学フィルタ１１０は、筐体１０１の上面に固定されている。具体的には、光学フィルタ１１０は、筐体１０１の上面の、スキャン領域と重ならない位置に固定されている。スキャン領域とは、プラテンガラス１０２上の、原稿が載置される領域である。
【００３９】
より具体的には、光学フィルタ１１０は、筐体１０１の上面の、スキャン部１２０の待機位置に対応する位置に配置されている。つまり、光学フィルタ１１０は、待機位置に到達する環境光の経路上に配置されている。言い換えると、スキャン部１２０が待機位置に存在する場合、光学フィルタ１１０を透過した光はスキャン部１２０に入射する。
【００４０】
ここで、待機位置とは、原稿がスキャンされていない時にスキャン部１２０が待機している位置である。言い換えると、待機位置とは、スキャン部１２０が原稿をスキャンした後に戻る位置である。待機位置は、原点、開始位置、初期位置あるいはデフォルト位置と呼ばれることもある。
【００４１】
光学フィルタ１１０は、互いに異なる波長の光を選択的に透過する複数のフィルタ領域を有する。本実施の形態では、複数のフィルタ領域は、赤フィルタ領域１１１と、緑フィルタ領域１１２と、青フィルタ領域１１３とを含む。赤フィルタ領域１１１は、赤に対応する波長の光を選択的に透過する。緑フィルタ領域１１２は、緑に対応する波長の光を選択的に透過する。青フィルタ領域１１３は、青に対応する波長の光を選択的に透過する。
【００４２】
図４に示すように、赤フィルタ領域１１１、緑フィルタ領域１１２および青フィルタ領域１１３の各々は、ラインイメージセンサ１２４のライン方向に延びる長尺状の領域である。赤フィルタ領域１１１、緑フィルタ領域１１２および青フィルタ領域１１３は、ラインイメージセンサ１２４の移動方向（つまり、スキャン方向）に並んで配置されている。
【００４３】
スキャン部１２０は、測光モードにおいて、光学フィルタ１１０を介して環境光を受光することにより、光学フィルタ１１０を透過した光の強さに対応する信号を出力する。また、スキャン部１２０は、スキャンモードにおいて、スキャン方向（Ｘ軸方向）に移動しながら、プラテンガラス１０２のスキャン領域に載置された原稿からの反射光を受光することにより、反射光の強さに対応する信号を出力する。
【００４４】
具体的には、図２Ａおよび図２Ｂに示すように、スキャン部１２０は、光源１２２と、ロッドレンズアレイ１２３と、ラインイメージセンサ１２４とを備える。
【００４５】
光源１２２は、スキャンモードにおいて、原稿に対して相対的に移動しながら、複数の色の光を順に原稿へ出射する（図２Ｂの破線矢印）。本実施の形態では、光源１２２は、スキャン方向に移動しながら、プラテンガラス１０２のスキャン領域に載置された原稿に赤、緑および青の光を順に繰り返し出射する。
【００４６】
具体的には、光源１２２は、例えば、導光体（図示せず）と、導光体の一端部に対向して配置された赤ＬＥＤ、緑ＬＥＤおよび青ＬＥＤ（いずれも図示せず）とを備える。赤ＬＥＤ、緑ＬＥＤおよび青ＬＥＤは、制御部１３０からのクロック信号（点灯制御信号）に基づいて順に繰り返し点灯する。導光体は、ライン方向（Ｙ軸方向）に延びており、赤ＬＥＤ、緑ＬＥＤおよび青ＬＥＤからの光をプラテンガラス１０２上に載置された原稿へ導く。
【００４７】
ロッドレンズアレイ１２３は、光を受光素子に集光する光学レンズの一例である。具体的には、ロッドレンズアレイ１２３は、Ｙ軸方向（ライン方向）に延びる光学レンズアレイである。ロッドレンズアレイ１２３は、原稿で反射した光をラインイメージセンサ１２４の複数の受光素子にそれぞれ結像させる。
【００４８】
ラインイメージセンサ１２４は、例えばＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）イメージセンサである。ラインイメージセンサ１２４は、ライン方向に一列に並んで配置された複数の受光素子（図示せず）を有する。
【００４９】
各受光素子には、受光した光の光量（強さ）に応じた電荷が蓄積される。各受光素子に蓄積された電荷は、制御部１３０からのクロック信号に基づくタイミングで読み出され、電気信号に変換される。
【００５０】
本実施の形態では、ラインイメージセンサ１２４は、測光モードにおいて、光学フィルタ１１０を介して環境光を受光することにより、複数のフィルタ領域に対応する複数の第１信号を出力する。また、ラインイメージセンサ１２４は、スキャンモードにおいて、原稿に対して相対的に移動しながら、光源１２２から順に出射された複数の色の光の原稿からの反射光を光学フィルタ１１０を介さずに受光することにより、複数の色に対応する複数の第２信号を出力する。
【００５１】
制御部１３０は、画像読取装置１００が備える各構成要素の動作を制御するコントローラである。例えば、駆動源（図示せず）を制御することにより、スキャン部１２０のスキャン方向の動きを制御する。また、制御部１３０は、印刷部１４０の動作を制御する。さらに、制御部１３０は、ラインイメージセンサ１２４から出力された信号を処理する。
【００５２】
印刷部１４０は、制御部１３０から出力される画像データに従って、原稿の画像を印刷する。印刷部１４０は、例えば、インクジェットプリンタ、レーザプリンタである。
【００５３】
［機能構成］
次に、制御部１３０の機能構成について、図５を用いて具体的に説明する。図５は、実施の形態１に係る画像読取装置の機能構成を示すブロック図である。ここでは、主として、環境光の色特性の測定機能、および、画像処理機能に関して説明し、その他の機能については説明を省略する。
【００５４】
図５に示すように、制御部１３０は、測定部１３１と、記憶部１３２と、画像処理部１３３とを備える。
【００５５】
測定部１３１は、複数のフィルタ領域に対応する複数の第１信号に基づいて環境光の色特性を測定する。つまり、測定部１３１は、環境光に含まれる互いに異なる複数の波長の光の強さを示す複数の第１信号に基づいて環境光の色特性を測定する。色特性とは、例えば、色温度、スペクトル分布（分光特性）、予め定められた複数の色の光の強さなどである。
【００５６】
本実施の形態では、測定部１３１は、例えば、赤フィルタ領域１１１を透過した赤色の光の強さと、緑フィルタ領域１１２を透過した緑色の光の強さと、青フィルタ領域１１３を透過した青色の光の強さとを環境光の色特性として測定する。
【００５７】
記憶部１３２は、測定部１３１によって測定された環境光の色特性を示す色特性データ（測定結果）を格納する。記憶部１３２は、複数の色特性データを記憶してもよい。その場合、色特性データには、例えば測定日時および測定場所などの付随情報が含まれるとよい。
【００５８】
画像処理部１３３は、複数の第２信号に基づいて原稿の画像データを生成する。つまり、画像処理部１３３は、複数の色に対応する複数の第２信号に基づいて、原稿のカラー画像データを生成する。例えば、画像処理部１３３は、赤緑青の各々の光の強度を示すアナログ信号（第２信号）をデジタル信号に変換することによりカラー画像データを生成する。このとき、シェーディング補正およびガンマ補正等の各種の補正処理が行われてもよい。
【００５９】
画像処理部１３３は、さらに、環境光の色特性に基づいて画像データを補正する。具体的には、画像処理部１３３は、記憶部１３２から色特性データを読み出し、色特性データに対応する補正方法でカラー画像データを補正する。
【００６０】
例えば、画像処理部１３３は、予め定められた複数の光源の中から、測定された赤緑青の各々の光の強さ（色特性データ）に適合する光源を選択する。予め定められた複数の光源は、例えば自然光、昼白色蛍光灯、Ｄ５０蛍光灯、および、タングステン光などである。つまり、画像処理部１３３は、色特性データを用いて環境光の光源の種別を推定する。
【００６１】
そして、画像処理部１３３は、選択された光源に適した補正方法でカラー画像データを補正する。つまり、画像処理部１３３は、選択された光源によって生じる画像の劣化あるいは違和感を軽減するための画像補正をカラー画像データに行う。例えば、画像処理部１３３は、選択された光源が昼白色蛍光灯である場合、選択された光源がＤ５０蛍光灯である場合よりも、赤の強度が増加するように、カラー画像データを補正する。
【００６２】
［動作］
次に、以上のように構成された画像読取装置１００の動作について図６を用いて説明する。図６は、実施の形態１に係る画像読取装置１００の処理動作を示すフローチャートである。具体的には、図６のフローチャートは、制御部１３０の処理動作を示す。
【００６３】
まず、制御部１３０は、現在のモードが測光モードであるか否かを判定する（Ｓ１０１）。測光モードは、例えば、カバー部材１０３が開かれた時に自動的に設定される。また測光モードは、例えば、操作部１０４を介してユーザから環境光の測定指示を受け付けた時に設定されてもよい。
【００６４】
ここで、現在のモードが測光モードである場合（Ｓ１０１のＹｅｓ）、測定部１３１は、光学フィルタ１１０を介して環境光を受光したラインイメージセンサ１２４の出力信号である複数の第１信号に基づいて環境光の色特性を測定する（Ｓ１０２）。本実施の形態では、測定部１３１は、赤フィルタ領域１１１、緑フィルタ領域１１２、および青フィルタ領域１１３の各々を介して環境光を受光したラインイメージセンサ１２４から出力された赤緑青の各々の複数の第１信号に基づいて環境光の色特性を測定する。
【００６５】
例えば、測定部１３１は、ライン方向に並ぶ複数の受光素子の各々から出力された赤緑青の各々の第１信号（アナログ信号）をデジタル値に変換する。そして、測定部１３１は、色ごとに、複数の受光素子に対応する複数のデジタル値の代表値（例えば、平均値、最大値および中央値など）を、色特性データを構成する値として決定する。
【００６６】
測定部１３１は、測定結果である色特性データを記憶部１３２に格納する（Ｓ１０３）。例えば、画像読取装置１００を移動させて複数の場所で測定が行われた場合、測定部１３１は、測定場所を示す情報に対応付けて色特性データを格納する。具体的には、画像読取装置１００は、リビングルームを示す情報に対応付けて第１の色特性データを格納し、寝室を示す情報に対応付けて第２の色特性データを格納する。測定場所を示す情報は、例えば、ユーザによって入力されればよい。
【００６７】
一方、現在のモードが測光モードでない場合（Ｓ１０１のＮｏ）、制御部１３０は、現在のモードがスキャンモードであるか否かを判定する（Ｓ１０４）。スキャンモードは、例えば、操作部１０４を介してユーザからスキャン開始の指示を受け付けた時に設定される。
【００６８】
ここで、現在のモードがスキャンモードでない場合（Ｓ１０４のＮｏ）、そのまま処理を終了する。一方。現在のモードがスキャンモードである場合（Ｓ１０４のＹｅｓ）、制御部１３０は、スキャン部１２０を介して、原稿をスキャンする（Ｓ１０５）。つまり、ラインイメージセンサ１２４は、光源１２２から順に出射された赤緑青の光の、原稿からの反射光を、光学フィルタ１１０を介さずに受光することにより、赤緑青の第２信号を順に出力する。
【００６９】
画像処理部１３３は、複数の色に対応する複数の第２信号に基づいて、原稿のカラー画像データを生成する（Ｓ１０６）。ここでは、画像処理部１３３は、スキャン方向の各位置における赤緑青の第２信号に基づいて原稿のカラー画像データを生成する。
【００７０】
さらに、画像処理部１３３は、記憶部１３２から色特性データを読み出し、色特性データに対応する補正方法でカラー画像データを補正する（Ｓ１０７）。例えば、画像処理部１３３は、ユーザから指定された場所に対応する色特性データを記憶部１３２から読み出す。そして、画像処理部１３３は、読み出された色特性データに適した補正方法でカラー画像データを補正する。
【００７１】
最後に、制御部１３０は、印刷部１４０を介して、補正されたカラー画像データに従って原稿の画像を印刷する（Ｓ１０８）。つまり、制御部１３０は、印刷部１４０に、カラー画像データが表す原稿の画像を印刷する。
【００７２】
［効果］
以上のように、実施の形態１に係る画像読取装置１００によれば、ラインイメージセンサ１２４から出力された、複数のフィルタ領域（赤フィルタ領域１１１、緑フィルタ領域１１２および青フィルタ領域１１３）に対応する複数の第１信号に基づいて、環境光の色特性が測定される。つまり、画像読取装置１００は、原稿の画像データの生成と、環境光の色特性の測定とでラインイメージセンサ１２４を共用することができる。したがって、画像読取装置１００は、部品点数の増大を抑制しつつ、環境光の色特性を測定することが可能となる。
【００７３】
また、実施の形態１に係る画像読取装置１００によれば、複数のフィルタ領域（赤フィルタ領域１１１、緑フィルタ領域１１２および青フィルタ領域１１３）は、ラインイメージセンサ１２４のライン方向に延びる長尺状の領域であり、ラインイメージセンサ１２４の移動方向に並んで配置されている。したがって、画像読取装置１００は、ラインイメージセンサ１２４を複数のフィルタ領域が並ぶ方向（スキャン方向）に移動させることにより、ラインイメージセンサ１２４内でライン方向に並ぶ複数の受光素子の各々で赤緑青のフィルタ領域をそれぞれ透過した光を受光することができる。このような複数の受光素子から出力される複数の第２信号に基づいて環境光の色特性が測定されることにより、画像読取装置１００は、ライン方向における複数の受光素子の感度のばらつきによる測定精度の低下を抑制することができる。
【００７４】
また、実施の形態１に係る画像読取装置１００によれば、光学フィルタ１１０に含まれる複数のフィルタ領域として、赤フィルタ領域１１１、緑フィルタ領域１１２および青フィルタ領域１１３を用いることができる。したがって、簡易な構成で環境光の色特性（例えば色温度）を測定することができ、製造コストを減少させることが可能となる。
【００７５】
また、実施の形態１に係る画像読取装置１００によれば、光学フィルタ１１０は、原稿が載置される領域（スキャン領域）と重ならない位置に固定される。したがって、画像読取装置１００は、光学フィルタ１１０が画像読取装置１００に固定された状態で、原稿をスキャンすることができる。つまり、スキャンモードにおいて画像読取装置１００から光学フィルタ１１０を取り外す必要がないので、ユーザの利便性を向上させることができる。
【００７６】
また、実施の形態１に係る画像読取装置１００によれば、光学フィルタ１１０は、筐体１０１の上面の、ラインイメージセンサ１２４の待機位置に対応する位置に固定される。したがって、画像読取装置１００は、ラインイメージセンサ１２４を待機位置から動かさなくても、環境光の色特性を測定することができる。つまり、画像読取装置１００は、環境光の色特性の測定を高速に行うことが可能になる。
【００７７】
また、実施の形態１に係る画像読取装置１００によれば、環境光の色特性に基づいて補正された画像データに従って原稿の画像を印刷することができる。したがって、画像読取装置１００が設置された場所において、印刷された画像に対するユーザの違和感を抑制することができる。例えば、環境光の光源が昼白色蛍光灯である場合に、画像読取装置１００は、画像において赤色の強度を増加させる補正を行うことにより、印刷された原稿の画像が青白く見えることを抑制することができる。つまり、画像読取装置１００は、環境光の色特性に適した画像を印刷することができる。
【００７８】
（実施の形態２）
次に、実施の形態２に係る画像読取装置について、図面を参照しながら具体的に説明する。
【００７９】
実施の形態２では、光学フィルタに含まれる複数のフィルタ領域の形状および配置が実施の形態１と異なる。以下では、説明が冗長となるのを避けるために、実施の形態１と同様の構成の説明を適宜省略する。
【００８０】
図７は、実施の形態２に係る光学フィルタの平面図である。
【００８１】
図７に示すように、本実施の形態では、光学フィルタ１１０ａに含まれる複数のフィルタ領域は、ラインイメージセンサ１２４のライン方向に並んで配置されている。つまり、赤フィルタ領域１１１ａ、緑フィルタ領域１１２ａ、および青フィルタ領域１１３ａは、ライン方向に繰り返し並んで配置されている。
【００８２】
赤フィルタ領域１１１ａ、緑フィルタ領域１１２ａ、および青フィルタ領域１１３ａは、ラインイメージセンサ１２４に含まれる複数の受光素子に対応付けられている。つまり、各受光素子には、赤フィルタ領域１１１ａ、緑フィルタ領域１１２ａ、および青フィルタ領域１１３ａのいずれかを透過した光が到達する。
【００８３】
以上のように、本実施の形態に係る画像読取装置によれば、複数のフィルタ領域（赤フィルタ領域１１１ａ、緑フィルタ領域１１２ａ、および青フィルタ領域１１３ａ）は、ラインイメージセンサ１２４のライン方向に並んで配置される。したがって、画像読取装置は、ラインイメージセンサ１２４を移動させなくても、複数のフィルタ領域を介して環境光を受光することができる。つまり、画像読取装置は、環境光の色特性の測定を高速に行うことが可能になる。
【００８４】
（実施の形態３）
次に、実施の形態３に係る画像読取装置について、図面を参照しながら具体的に説明する。
【００８５】
実施の形態３では、光学フィルタに含まれる複数のフィルタ領域が実施の形態１の赤緑青のフィルタ領域と異なる。以下では、説明が冗長となるのを避けるために、実施の形態１と同様の構成の説明を適宜省略する。
【００８６】
図８は、実施の形態３に係る光学フィルタの平面図である。
【００８７】
本実施の形態では、光学フィルタ１１０ｂに含まれる複数のフィルタ領域は、環境光のスペクトル分布を得るための複数の狭帯域のフィルタ領域である。複数の狭帯域のフィルタ領域は、ライン方向に並んで配置されている。
【００８８】
具体的には、複数の狭帯域のフィルタ領域は、例えば、可視光に相当する帯域（例えば、４００ｎｍ〜８００ｎｍ）を所定の帯域（例えば１０ｎｍなど）単位で分割して得られる複数の狭帯域の光を選択的に透過させるフィルタ領域である。
【００８９】
複数の狭帯域のフィルタ領域は、ラインイメージセンサ１２４に含まれる複数の受光素子に対応付けられている。つまり、各受光素子には、複数の狭帯域のフィルタ領域のいずれかを透過した光が到達する。
【００９０】
測定部１３１は、光学フィルタ１１０ｂを介して環境光を受光したラインイメージセンサ１２４から出力された複数の第１信号に基づいて、環境光のスペクトル分布を測定する。つまり、測定部１３１は、複数の第１信号に基づいて環境光の分光特性を測定する。
【００９１】
このように測定される環境光のスペクトル分布の例を図９Ａ〜図９Ｃを用いて説明する。図９Ａ〜図９Ｃの各々は、実施の形態３に係る画像読取装置によって測定される環境光の色特性の一例を示す図である。図９Ａ〜図９Ｃにおいて、横軸は波長を示し、縦軸は被エネルギー（つまり光の強さ）を示す。
【００９２】
具体的には、図９Ａは、環境光が昼光（自然光）の場合に得られるスペクトル分布を示す。また、図９Ｂは、環境光が白色蛍光灯の場合に得られるスペクトル分布を示す。また、図９Ｃは、環境光がタングステン光の場合に得られるスペクトル分布を示す。
【００９３】
以上のように、本実施の形態に係る画像読取装置によれば、複数の狭帯域のフィルタ領域を有する光学フィルタ１１０ｂを用いることにより、環境光のスペクトル分布を測定することが可能となる。
【００９４】
（実施の形態４）
次に、実施の形態４に係る画像読取装置について、図面を参照しながら具体的に説明する。
【００９５】
実施の形態４では、カバー部材が閉じられた状態であっても、ラインイメージセンサが光学フィルタを介して環境光を受光できるように、カバー部材に光路が形成されている点が実施の形態１と異なる。以下では、説明が冗長となるのを避けるために、実施の形態１と同様の構成の説明を適宜省略する。
【００９６】
図１０は、実施の形態４に係る画像読取装置の内部構造を示す断面図である。図１０に示すように、画像読取装置２００は、カバー部材１０３の代わりに、カバー部材２０３を備える。
【００９７】
カバー部材２０３には、カバー部材２０３が閉じられた状態で光学フィルタ１１０に環境光を導く光路２０３ａが形成されている。
【００９８】
光路２０３ａは、光が通過する経路である。本実施の形態では、光路２０３ａは、光学フィルタ１１０の上方に設けられた穴によって形成されている。なお、穴の開口は、透明な部材によって塞がれてもよい。
【００９９】
以上のように、本実施の形態に係る画像読取装置２００によれば、カバー部材２０３には、カバー部材２０３が閉じられた状態で光学フィルタ１１０に環境光を導く光路２０３ａが形成される。したがって、カバー部材２０３を閉じた状態で環境光の色特性の測定が可能となる。つまり、環境光の色特性の測定条件が緩和され、測定の自由度を高めることが可能となる。
【０１００】
（その他の実施の形態）
以上、本発明の実施の形態に係る画像読取装置について説明したが、本発明は、この実施の形態に限定されるものではない。
【０１０１】
例えば、実施の形態２または３と実施の形態４とが適宜組み合わされてもよい。つまり、実施の形態４に係る画像読取装置２００は、実施の形態１の光学フィルタ１１０の代わりに、実施の形態２の光学フィルタ１１０ａまたは実施の形態３の光学フィルタ１１０ｂを備えてもよい。
【０１０２】
なお、上記各実施の形態において、光学フィルタは、ライン方向に延びていたが、必ずしもこれに限定される必要はない。例えば、光学フィルタは、スキャン方向に延びていてもよい。
【０１０３】
なお、上記各実施の形態において、光学フィルタに含まれる複数のフィルタ領域は、一方向に並べて配置されていたが、必ずしもこのように配置される必要はない。例えば、複数のフィルタ領域は、プラテンガラスの四隅の近傍に離散的に配置されてもよい。
【０１０４】
なお、上記各実施の形態において、光学フィルタに含まれる各フィルタ領域の形状は、矩形であったが、この形状に限定される必要はない。例えば、各フィルタ領域の形状は、円形あるいは四角形以外の多角形であってもよい。また、複数のフィルタ領域の形状は、互いに異なっていてもよい。
【０１０５】
なお、上記各実施の形態において、光学フィルタは、３種類以上のフィルタ領域を含んでいたが、２種類のみのフィルタ領域を含んでもよい。
【０１０６】
なお、上記各実施の形態において、光学フィルタは、筐体に固定されていたが、必ずしも筐体に固定される必要はない。例えば、実施の形態３では、光学フィルタは、カバー部材に形成された光路上においてカバー部材に固定されてもよい。
【０１０７】
また、光学フィルタは、画像読取装置に着脱可能に装着されてもよい。つまり、各フィルタ領域を透過した光がスキャン方向のどの位置でどの受光素子に受光されるかが特定されれば、光学フィルタは、プラテンガラスのスキャン領域上に着脱可能に配置されてもよい。
【０１０８】
また、光学フィルタは、スキャン部内に設置されてもよい。つまり、光学フィルタは、ラインイメージセンサとともに移動してもよい。この場合、光学フィルタは、ラインイメージセンサに到達する光の光路上および光路外を移動可能に設置されればよい。
【０１０９】
なお、上記各実施の形態において、画像読取装置は、環境光の色特性を測定していたが、他の光の色特性を測定してもよい。例えば、画像読取装置は、携帯端末のディスプレイが発する光を光学フィルタを介して受光し、受光結果の信号に基づいて当該ディスプレイの色温度を測定してもよい。
【０１１０】
なお、上記各実施の形態において、画像読取装置は、印刷部を備えていたが、印刷部を備えなくてもよい。その場合、画像読取装置は、例えば、印刷装置に画像データを出力してもよい。
【０１１１】
また、上記各実施の形態に係る画像読取装置に含まれる制御部を構成する構成要素の一部または全部は、具体的には、マイクロプロセッサ、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等から構成されるコンピュータとして構成されてもよい。ＲＯＭには、コンピュータプログラムが記憶されている。マイクロプロセッサが、コンピュータプログラムに従って動作することにより、制御部を構成する構成要素の一部または全部は、その機能を達成する。ここでコンピュータプログラムは、所定の機能を達成するために、コンピュータに対する指令を示す命令コードが複数個組み合わされて構成されたものである。
【０１１２】
さらに、上記実施の形態に係る画像読取装置に含まれる制御部を構成する構成要素の一部または全部は、１個のシステムＬＳＩ（Ｌａｒｇｅ  Ｓｃａｌｅ  Ｉｎｔｅｇｒａｔｉｏｎ：大規模集積回路）から構成されているとしてもよい。例えば、測定部と画像処理部とは、１個のシステムＬＳＩから構成されてもよい。システムＬＳＩは、複数の構成要素を１個のチップ上に集積して製造された超多機能ＬＳＩであり、具体的には、マイクロプロセッサ、ＲＯＭおよびＲＡＭ等を含んで構成されるコンピュータシステムである。ＲＡＭには、コンピュータプログラムが記憶されている。マイクロプロセッサが、コンピュータプログラムに従って動作することにより、システムＬＳＩは、その機能を達成する。
【０１１３】
さらにまた、上記の制御部を構成する構成要素の一部または全部は、画像読取装置に脱着可能なＩＣカードまたは単体のモジュールから構成されているとしてもよい。ＩＣカードまたはモジュールは、マイクロプロセッサ、ＲＯＭおよびＲＡＭ等から構成されるコンピュータシステムである。ＩＣカードまたはモジュールは、上記の超多機能ＬＳＩを含むとしてもよい。マイクロプロセッサが、コンピュータプログラムに従って動作することにより、ＩＣカードまたはモジュールは、その機能を達成する。このＩＣカードまたはこのモジュールは、耐タンパ性を有するとしてもよい。
【０１１４】
また、本発明は、上記に示す方法であるとしてもよい。また、本発明は、これらの方法をコンピュータにより実現するコンピュータプログラムであるとしてもよいし、上記コンピュータプログラムからなるデジタル信号であるとしてもよい。
【０１１５】
さらに、本発明は、上記コンピュータプログラムまたは上記デジタル信号をコンピュータ読み取り可能な非一時的な記録媒体、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Ｂｌｕ−ｒａｙ（登録商標）  Ｄｉｓｃ）、半導体メモリ等に記録したものとしてもよい。また、これらの非一時的な記録媒体に記録されている上記デジタル信号であるとしてもよい。
【０１１６】
また、本発明は、上記コンピュータプログラムまたは上記デジタル信号を、電気通信回線、無線または有線通信回線、インターネットを代表とするネットワーク、データ放送等を経由して伝送するものとしてもよい。
【０１１７】
また、本発明は、マイクロプロセッサおよびメモリを備えたコンピュータシステムであって、上記メモリは、上記コンピュータプログラムを記憶しており、上記マイクロプロセッサは、上記コンピュータプログラムに従って動作するとしてもよい。
【０１１８】
また、上記プログラムまたは上記デジタル信号を上記非一時的な記録媒体に記録して移送することにより、または、上記プログラムまたは上記デジタル信号を上記ネットワーク等を経由して移送することにより、独立した他のコンピュータシステムにより実施するとしてもよい。
【産業上の利用可能性】
【０１１９】
本発明の一態様に係る画像読取装置は、例えばＣＩＳ方式の、カラーイメージスキャナおよびコピー機等として利用することができる。
【符号の説明】
【０１２０】
１００、２００  画像読取装置
１０１  筐体
１０２  プラテンガラス
１０３、２０３  カバー部材
１０４  操作部
１１０、１１０ａ、１１０ｂ  光学フィルタ
１１１、１１１ａ  赤フィルタ領域
１１２、１１２ａ  緑フィルタ領域
１１３、１１３ａ  青フィルタ領域
１２０  スキャン部
１２２  光源
１２３  ロッドレンズアレイ
１２４  ラインイメージセンサ
１３０  制御部
１３１  測定部
１３２  記憶部
１３３  画像処理部
１４０  印刷部
２０３ａ  光路
【図１】
2015122708.tif 000003
【図２Ａ】
2015122708.tif 000004
【図２Ｂ】
2015122708.tif 000005
【図３】
2015122708.tif 000006
【図４】
2015122708.tif 000007
【図５】
2015122708.tif 000008
【図６】
2015122708.tif 000009
【図７】
2015122708.tif 000010
【図９Ａ】
2015122708.tif 000011
【図９Ｂ】
2015122708.tif 000012
【図９Ｃ】
2015122708.tif 000013
【図１０】
2015122708.tif 000014
【図８】
2015122708.tif 000015